(57)【要約】【課題】昇降路内作業時に点検作業用の乗場安全柵を管理センタなどから作業員が運ぶことがなくなるようにし、容易に入手できるようにしたエレベータのかご室を得る。【解決手段】エレベータのかご室１と、かご室の側面壁に着脱自在に取り付けられ、エレベータ点検時に取り外されて点検作業用の安全柵として利用される点検作業柵兼用の鏡装置３を備え、点検作業柵兼用の鏡装置は、蝶番５結合された複数枚のプレート４ａ、４ｂからなり、折り畳んで重合した状態で前記かご室の側面壁に着脱可能に固定され、点検時には展開、立設して使用する。【選択図】図１
2008195485.tif 000002
【特許請求の範囲】
【請求項１】
エレベータのかご室と、
前記かご室の側面壁に着脱自在に取り付けられ、エレベータ点検時に取り外されて点検作業用の安全柵として利用される点検作業柵兼用の鏡装置を備え、
前記点検作業柵兼用の鏡装置は、蝶番結合された複数枚のプレートからなり、折り畳んで重合した状態で前記かご室の側面壁に着脱可能に固定され、点検時には展開、立設して使用することを特徴とするエレベータのかご室。
【請求項２】
エレベータのかご室と、
前記かご室の側面壁に着脱自在に取り付けられ、エレベータ点検時に取り外されて点検作業用の安全柵として利用される点検作業柵兼用の広告掲示板を備え、
前記点検作業柵兼用の広告掲示板は、蝶番結合された複数枚のプレートからなり、折り畳んで重合した状態で前記かご室の側面壁に着脱可能に固定され、点検時には展開、立設して使用することを特徴とするエレベータのかご室。
【請求項３】
エレベータのかご室と、
前記かご室の側面壁に着脱自在に取り付けられ、エレベータ点検時に取り外されて点検作業用の安全柵として利用される点検作業柵兼用のかご室構成部品を備え、
前記点検作業柵兼用のかご室構成部品は、蝶番結合された複数枚のプレートからなり、折り畳んで重合した状態で前記かご室の側面壁に着脱可能に固定され、点検時には展開、立設して使用することを特徴とするエレベータのかご室。
【発明の詳細な説明】
【技術分野】
【０００１】
この発明は、かご室の構成部品をエレベータ点検作業時にかご室から取り外して、点検作業用の柵として使用できるようにしたエレベータのかご室に関するものである。
【背景技術】
【０００２】
従来、エレベータのかごを昇降させる駆動機(巻上機など)の機械設備は、エレベータの昇降路とは別に設けられた機械室に設置されていた。しかし、近年、別個に機械室を設けず、昇降路内(ピット内など)に従来機械室にあった機械設備を配置した、いわゆる機械室レス形式のものが普及してきている。この形式の場合、点検作業などの昇降路内(ピット内など)作業時に、乗場扉を開放したまま作業することが多い。このため、昇降路内作業時には、開放されたままの乗場出入口の手前に一般の利用者などが近づけないようにするために点検作業用の乗場安全柵が立てられる（例えば、特許文献１参照）。
【０００３】
また、他の従来技術として、エレベータ出入口の三方枠に配置され、棒状体と表示幕とから構成されて、点検作業中である旨を表示する点検作業表示体が知られている（例えば、特許文献２参照）。
【０００４】
【特許文献１】特開２００２−３０２３５５号公報
【特許文献２】特開２００３−１２２５１号公報
【発明の開示】
【発明が解決しようとする課題】
【０００５】
エレベータが設置された建物には、点検作業用の乗場安全柵の置き場所がない場合が多く、営業所や管理センタなどから作業員が運んで設置し、作業終了後また持ち帰っており、作業効率が悪いという問題があった。また、特許文献２記載のものでは、保守点検時以外の通常時は、棒状体の寸法を縮め、表示幕を棒状体に巻き付けてピット内に保管できるが、何処に保管したかを失念した場合は、捜すのに苦労することがある。
【０００６】
この発明は、上述のような課題を解決するためになされたもので、昇降路内作業時に点検作業用の乗場安全柵を管理センタなどから作業員が運ぶことがなくなるようにし、容易に入手できるようにしたエレベータのかご室を提供するものである。
【課題を解決するための手段】
【０００７】
この発明に係るエレベータのかご室においては、エレベータのかご室と、かご室の側面壁に着脱自在に取り付けられ、エレベータ点検時に取り外されて点検作業用の安全柵として利用される点検作業柵兼用の鏡装置を備え、点検作業柵兼用の鏡装置は、蝶番結合された複数枚のプレートからなり、折り畳んで重合した状態で前記かご室の側面壁に着脱可能に固定され、点検時には展開、立設して使用するものである。
【０００８】
また、この発明に係るエレベータのかご室においては、エレベータのかご室と、かご室の側面壁に着脱自在に取り付けられ、エレベータ点検時に取り外されて点検作業用の安全柵として利用される点検作業柵兼用の広告掲示板を備え、点検作業柵兼用の広告掲示板は、蝶番結合された複数枚のプレートからなり、折り畳んで重合した状態で前記かご室の側面壁に着脱可能に固定され、点検時には展開、立設して使用するものである。
【発明の効果】
【０００９】
この発明によれば、かご室の側面壁に着脱自在に取り付けられ、エレベータ点検時に取り外されて点検作業用の安全柵として利用される点検作業柵兼用の鏡装置を備えているので、作業者は、点検作業用の柵を現場で直ぐに調達することができ、従来のように現場まで持ち運ぶ必要がなくなるという効果がある。
【発明を実施するための最良の形態】
【００１０】
実施の形態１．
以下、この発明の実施の形態１を、図面に従って説明する。
図１はこの発明の実施の形態１におけるエレベータのかご室の要部構成を示す斜視図、図２はこの発明の実施の形態１におけるエレベータのかご室に取り付けられる点検作業柵兼用の鏡装置を示す斜視図、図３は図２の点検作業柵兼用の鏡装置を展開して立設した状態を示す斜視図、図４はこの発明の実施の形態１におけるエレベータのかご室から点検作業柵兼用の鏡装置を取り外し点検作業中の乗場出入口を取り囲んだ状態を示す斜視図である。
【００１１】
図１において、１はエレベータのかご室、２はかご室１の側面壁、３はかご室１の出入口とは反対側の側面壁２に着脱自在に取り付けられた点検作業柵兼用の鏡装置である。この鏡装置３は、主に車椅子でエレベータを利用する身障者が後方を確認できるようにするためのものである。この発明による点検作業柵兼用の鏡装置３は、２枚の矩形板状プレート４ａ、４ｂを重合し、互いの一側辺を蝶番５により回動自在に連結し、２枚を折り畳んで重合した状態でかご室１の出入口と反対の側面壁２に着脱自在に取り付けられている。上記点検作業柵兼用の鏡装置３は、側面壁２に取り付けられた状態で、かご室１表面に位置する一方の矩形板状プレート４ａの表面に鏡６を設けている。また、かご室１内から見て隠れてしまう他方の矩形板状プレート４ｂには鏡６を設ける必要はない。点検作業柵兼用の鏡装置３の側面壁２への取り付けは、取付ビス７により行われる。すなわち、点検作業柵兼用の鏡装置３の他方の矩形板状プレート４ｂの裏面には取付板８が貼り付け固定されており、図示するように、取付板８の上端部には、円形の穴と溝を結合した達磨形状を有する取付穴９が明けられている。この取付穴９の円形穴部分は、取付ビス７の頭部が通過することができる程度の直径を有し、溝部分は、取付ビス７のねじ軸部分の太さより広く、頭部分より狭い幅となっている。この構造により、取付ビス７を側面壁２のねじ穴（図示せず）から完全に抜くことなしに、点検作業柵兼用の鏡装置３の着脱が可能となる。
なお、点検作業柵兼用の鏡装置３は、構造を理解し易くするために、蝶番５が露出した構造となっているが、実際には見栄えを良くするためにカバー等で覆われる。また、点検作業柵兼用の鏡装置３の取付構造も、理解し易くするために、上部のみ取付ビス７により取り付けた構造となっているが、容易に外れて落下することがないよう、実際には下端部や両側端部などにも取付ビス等でしっかりと固定されるものである。
【００１２】
図２は、点検作業柵兼用の鏡装置３をかご室１の側面壁２から取り外した状態を示し、図３は、取り外した点検作業柵兼用の鏡装置３を蝶番５結合部を中心に展開して立設した状態を示している。この状態で、図４に示すように、点検作業中の乗場出入口１０を取り囲むように乗場床上に立設して、点検作業用の乗場安全柵として利用する。この時、鏡６面及び取付板８が表にくるようにして、２枚の矩形板状プレート４ａ、４ｂを角度をつけて開いた状態とすることで、自立させることができる。
【００１３】
実施の形態２．
上記実施の形態１では、点検作業用の乗場安全柵として利用する時、鏡６面及び取付板８が表にくるようにして、２枚の矩形板状プレート４ａ、４ｂを角度をつけて開いた状態としたが、これとは反対に、点検作業用の乗場安全柵１１として利用する時に、鏡６面及び取付板８を裏にくるようにして使用しても良い。この場合には、側面壁２に取り付けられた状態でかご室１表面に位置する一方の矩形板状プレート４ａの裏面及びかご室１内から見て隠れてしまう他方の矩形板状プレート４ｂの表面に、それぞれ「点検中」等の文字を記載しておき、点検作業用の乗場安全柵として展開した時に、「点検中」等の文字が安全柵の表面側に表示されるように立設すれば、一般の利用者に容易に認識させることができる。
【００１４】
実施の形態３．
上記実施の形態では、かご室１の側面壁２に設置される鏡装置３を点検作業用の乗場安全柵として利用できるようにしたが、鏡装置３の代わりにかご室１の側面壁２に設置される広告掲示板やそれに代わるかご室構成部品を使用しても良いものである。
図５はこの発明の実施の形態３におけるエレベータのかご室の概略構成を示す斜視図である。
【００１５】
図５において、１１はかご室１の側面壁２に取り付けられた点検作業柵兼用の広告掲示板である。この発明による点検作業柵兼用の広告掲示板１１は、詳細な説明は省略するが、上記鏡装置３と同様に２枚の矩形板状プレートを重合し、互いの一側辺を蝶番により回動自在に連結し、２枚を折り畳んで重合した状態でかご室１の側面壁２に着脱自在に取り付けられている。上記点検作業柵兼用の掲示板１１は、側面壁２に取り付けられた状態で、かご室１表面に位置する一方の矩形板状プレートの表面を広告掲示板として利用する。また、かご室１内から見て隠れてしまう他方の矩形板状プレートに広告掲示板として利用することはない。点検作業柵兼用の広告掲示板１１の側面壁２への取り付け及び取り外して点検作業用の乗場安全柵として利用する場合は、上記鏡装置３と同様であるので、説明を省略する。
なお、上記の説明では、かご室１の側面壁２に設置される広告掲示板１１を点検作業用の乗場安全柵として利用できるようにしたが、広告掲示板に代わるかご室構成部品として、例えば、表面が無地であったり、色や柄がある点検作業用の安全柵を折り畳んで重合した状態で、かご室構成部品としてかご室１の側面壁２に着脱自在に取り付けても良いものである。
【図面の簡単な説明】
【００１６】
【図１】この発明の実施の形態１におけるエレベータのかご室の要部構成を示す斜視図である。
【図２】この発明の実施の形態１におけるエレベータのかご室に取り付けられる点検作業柵兼用の鏡装置を示す斜視図である。
【図３】図２の点検作業柵兼用の鏡装置を展開して立設した状態を示す斜視図である。
【図４】この発明の実施の形態１におけるエレベータのかご室から点検作業柵兼用の鏡装置を取り外し点検作業中の乗場出入口を取り囲んだ状態を示す斜視図である。
【図５】この発明の実施の形態３におけるエレベータのかご室の概略構成を示す斜視図である。
【符号の説明】
【００１７】
１  かご室
２  側面壁
３  点検作業柵兼用の鏡装置
４ａ、４ｂ  矩形板状プレート
５  蝶番
６  鏡
７  取付ビス
８  取付板
９  取付穴
１０  乗場出入口
１１  点検作業柵兼用の広告掲示板
【図１】
2008195485.tif 000003
【図２】
2008195485.tif 000004
【図３】
2008195485.tif 000005
【図４】
2008195485.tif 000006
【図５】
2008195485.tif 000007